【事件の表示】
　平成１１年特許願第３７２６７２号「情報再生装置」拒絶査定不服審判事件〔平成１３年７月６日出願公開、特開２００１−１８４８４２〕について、次のとおり審決する。
【結　論】
　本件審判の請求は、成り立たない。
【理　由】
１．手続の経緯・本願発明
　本件審判の請求に係る特許出願（以下、「本願」という。）は、平成１１年１２月２８日の出願であって、平成１６年９月２１日付け拒絶理由通知に対して、同年１１月２９日付けで手続補正がされたが、平成１７年３月２５日付けで拒絶査定され、これに対し、同年４月２８日付けで拒絶査定不服審判が請求されたものである。そして、本願の請求項５に係る発明は、平成１６年１１月２９日付け手続補正書の特許請求の範囲の請求項５に記載された事項により特定される次のとおりのものと認める。（以下、「本願発明」という。）
　
「【請求項５】
　記録媒体に記録された複数の画像を再生する情報再生方法であって、
　前記記録媒体には複数の番組が記録されており、前記番組は複数のシーンを有し、前記シーンは複数のフレームを有し、前記番組及び前記シーンは動画であり、
　複数の番組の縮小画を同一画面内に表示する番組選択画面のデータを作成し、複数のシーンの縮小画を同一画面内に表示するシーン選択画面のデータを作成し、
　前記番組選択画面において、１つの番組が選択された場合、自動的に縮小画のまま動画再生し、また、１つの番組の選択が決定された場合、決定された番組の有する複数のシーンの縮小画を表示する前記シーン選択画面を表示することを特徴とする情報再生方法。」
　
　
２．引用例
　原査定の拒絶の理由に引用された、本願出願前に頒布された刊行物である特開平１１−３２３０１号公報（以下、「引用例」という。）には、図面とともに以下の技術事項が記載されている（下線は当審で付した。）。
　（ａ）「【００６３】即ち、ここでは、画像の記録、再生、編集、その他の、いわゆるビデオ制作のためのアプリケーションプログラムとして、「Ｓｌｉｐｃｌｉｐ」（スリップクリップ）と呼ばれるものが内蔵されている。」
　（ｂ）「【０２２２】クリップ作成フォルダの自動チェックボックス３２９は、クリップを作成するフォルダを、あらかじめ設定してあるものにする場合にチェックされる。ここで、
クリップとは、１組のＭＰＥＧファイルとインデックスファイルとから構成される。即ち、ＭＰＥＧファイルとインデックスファイルとの組は、「スリップレコーダー」ではテープと呼ばれ、「クリップエディター」や「クリップビューワー」ではクリップと呼ばれる。
テープがノーマルテープの場合、クリップとテープとは同義である
　（ｃ）「【０２３３】録画を行う場合、ユーザは、まず、上述したように、テープ設定ダイアログボックス３２１（図８）を開いて、テープの設定を行っておく。
【０２３４】そして、
例えば、テレビジョン放送番組を録画する場合に
　（ｄ）「【０２９９】
「スリップレコーダー」による録画処理では、エンコーダボード２１３において、画像（およびそれに付随する音声）がＭＰＥＧエンコードされることにより得られるＭＰＥＧシステムストリームが、ハードディスク２１２にあらかじめ作成されたテープを構成するＭＰＥＧファイルに記録される。さらに、エンコーダボード２１３から出力されるインデックスデータからシーンチェンジパラメータが算出され、シーンチェンジポインタおよび識別フラグとともに、ハードディスク２１２にあらかじめ作成されたテープを構成するインデックスファイルに記録される。
【０３００】ここで、図１８に示すように、インデックスファイルの先頭には、録画を開始した時刻である開始時刻や、録画モードなどが配置されたヘッダ（Ｈ）が記録される。
【０３０１】また、識別フラグ、シーンチェンジポインタ、およびシーンチェンジパラメータは、上述したように、インデックスデータに含まれるシーンチェンジフラグが、シーンチェンジが検出されたことを表しており、かつ、図１９に示すように、シーンチェンジパラメータが、所定の閾値εよりも大きい場合に記録される。
インデックスファイルに記録されたシーンチェンジポインタは、図１８に示すように、シーンチェンジのあったフレームの符号化データが記録されている位置を表している。
　（ｅ）「【０３３４】即ち、マイクロプロセッサ２０１は、
指定されたクリップを構成するＭＰＥＧファイルの中の、同じく指定されたクリップを構成するインデックスファイルに記録されたシーンチェンジポインタが指す位置に記録されたフレームの符号化データを、ＭＰＥＧ１ソフトウェアデコーダ２０１Ａ（図１８）によってデコードする。そして、マイクロプロセッサ２０１は、そのデコードされたフレーム（の縮小画面）を、インデックス画面として
　（ｆ）「【０３４２】
インデックス画面は、基本的に、場面の切り替わりの最初のフレームであり、従って、あるインデックス画面から、次のインデックス画面の直前までは、基本的に、１つのシーンとなっている。
　（ｇ）「【０３８０】タブ４０２Ａには、クリップ集に付された名前が表示される。従って、図２４の実施の形態では、「夏の旅行」、「スキー大会」、「クリスマス」の３つのクリップ集としてのフォルダが存在している。なお、クリップ集は、タブ４０２Ａをクリックすることにより選択することができ、クリップ一覧４０２には、その選択されたクリップ集に登録されているクリップの代表画面が表示される。図２４の実施の形態では、クリップ集「夏の旅行」が選択されており、そこに登録されている
３つのクリップの代表画面が、クリップ一覧４０２に表示されている。
【０３８１】
インデックス一覧４０３には、クリップ一覧４０２に表示された代表画面をクリックして、クリップを選択した場合に、その選択されたクリップのインデックス画面が表示される。
【０３８２】
画像表示欄４０４には、クリップ一覧４０２で選択されたクリップの再生画像が表示される。
【０３８３】停止ボタン４０６、再生ボタン４０７、一時停止ボタン４０８、スキップボタン４０９，４１０、インデックスボタン４１１，４１２、スライダ４１４、コマ送りボタン４１５、スロー再生ボタン４１６は、図１５の再生ウインドウ３４１における停止ボタン３４６、再生ボタン３４７、一時停止ボタン３４８、スキップボタン３４９，３５０、インデックスボタン３５１，３５２、スライダ３５４、コマ送りボタン３５５、スロー再生ボタン３５６に、それぞれ対応している。
【０３８４】
全画面ボタン４１３は、画像表示欄４０４を、全画面表示する場合に操作される。
　
　上記引用例の摘記事項及び図面を総合勘案すると、引用例には、次の発明（以下、「引用発明」という。）が記載されている。
「番組が録画されるものであって、
画像（およびそれに付随する音声）がＭＰＥＧエンコードされることにより得られるＭＰＥＧシステムストリームが、ハードディスクにあらかじめ作成されたテープを構成するＭＰＥＧファイルに記録されるとともに、
シーンチェンジポインタ等がハードディスクにあらかじめ作成されたテープを構成するインデックスファイルに記録され、
指定されたクリップを構成するＭＰＥＧファイルの中の、同じく指定されたクリップを構成するインデックスファイルに記録されたシーンチェンジポインタが指す位置に記録されたフレームの符号化データをデコードして、そのデコードされたフレーム（の縮小画面）を、インデックス画面とし、
あるインデックス画面から、次のインデックス画面の直前までは、基本的に、１つのシーンとなっているものであり、
複数のクリップの代表画面が表示されたクリップ一覧で選択されたクリップの再生画像が表示され、
選択されたクリップのインデックス画面が表示される、
方法。」
　
　
３．対比
　本願発明を、引用発明と比較する。
　（１）引用発明は、「番組が録画されるものであって、」「画像（およびそれに付随する音声）がＭＰＥＧエンコードされることにより得られるＭＰＥＧシステムストリームが、ハードディスクにあらかじめ作成されたテープを構成するＭＰＥＧファイルに記録され、」また、「複数のクリップの代表画面が表示されたクリップ一覧で選択されたクリップの再生画像が表示され」るものであるが、「クリップとテープとは同義である」（段落【０２２２】参照。）と記載されていることから、引用発明の方法は、各テープに記録された番組をクリップの代表画面の選択を介して再生するものであると認められ、本願発明の「記録媒体に記録された複数の画像を再生する情報再生方法であって、前記記録媒体には複数の番組が記録されており」に相当する構成を備えているものである。
　（２）引用発明は、「シーンチェンジポインタ等がハードディスクにあらかじめ作成されたテープを構成するインデックスファイルに記録され、」「指定されたクリップを構成するＭＰＥＧファイルの中の、同じく指定されたクリップを構成するインデックスファイルに記録されたシーンチェンジポインタが指す位置に記録されたフレームの符号化データをデコードして、そのデコードされたフレーム（の縮小画面）を、インデックス画面とし、」「あるインデックス画面から、次のインデックス画面の直前までは、基本的に、１つのシーンとなっているもの」であるから、上記（１）で示した認定事項も併せれば、引用発明は、各テープに記録された番組がシーンチェンジポインタを区切りとする複数のシーンを有し、各シーンがインデックス画面に対応するフレームを含む複数のフレームを有するものであると認められ、本願発明の「前記番組は複数のシーンを有し、前記シーンは複数のフレームを有し、前記番組及び前記シーンは動画であり」に相当する構成を備えているものである。
　（３）引用例の第２４図のクリップビューワメインウィンドウにおけるクリップの代表画面のサイズからみて、クリップの代表画面は番組の画像が縮小されたものであると解されるから、「複数のクリップの代表画面が表示されたクリップ一覧」を備えた引用発明は、本願発明の「複数の番組の縮小画を同一画面内に表示する番組選択画面のデータを作成し」に相当する構成を有するものである。また、引用発明における「複数のクリップの代表画面が表示されたクリップ一覧で選択されたクリップの再生画像が表示され」であるが、クリップの選択と再生画像の表示との間には何ら操作が介されておらず、クリップの選択により自動的に再生画像の表示が行われるものと解されるものであるから、引用発明における「複数のクリップの代表画面が表示されたクリップ一覧で選択されたクリップの再生画像が表示され」は、本願発明における「前記番組選択画面において、１つの番組が選択された場合、自動的に動画再生し」に相当する。
　（４）上記（２）で示したとおり、引用発明は、「フレーム（の縮小画面）を、インデックス画面とし、」「あるインデックス画面から、次のインデックス画面の直前までは、基本的に、１つのシーンとなっているもの」であり、また、引用例の第２４図では、インデックス画面が同一画面上に複数表示されているものであるから、「選択されたクリップのインデックス画面が表示される」構成を備えた引用発明は、本願発明の「複数のシーンの縮小画を同一画面内に表示する画面のデータを作成し、」「１つの番組の選択がされた場合、番組の有する複数のシーンの縮小画を表示する前記画面を表示する」に相当する構成を有するものである。
　
　すると、本願発明と引用発明とは、次の点で一致する。
「記録媒体に記録された複数の画像を再生する情報再生方法であって、
　前記記録媒体には複数の番組が記録されており、前記番組は複数のシーンを有し、前記シーンは複数のフレームを有し、前記番組及び前記シーンは動画であり、
　複数の番組の縮小画を同一画面内に表示する番組選択画面のデータを作成し、複数のシーンの縮小画を同一画面内に表示する画面のデータを作成し、
　前記番組選択画面において、１つの番組が選択された場合、自動的に動画再生し、また、１つの番組の選択がされた場合、番組の有する複数のシーンの縮小画を表示する前記画面を表示する情報再生方法。」
　
　一方で、両者は、次の点で相違する。
　（Ａ）複数のシーンの縮小画を同一画面内に表示する画面が、本願発明では「シーン選択画面」であるのに対し、引用発明では前記画面の機能が示されていない点。
　（Ｂ）番組が選択された場合の動画再生が、本願発明では「縮小画のまま」行われるのに対し、引用発明では前記のように行われていない点。
　（Ｃ）複数のシーンの縮小画を表示する条件が、本願発明では、１つの番組の選択が決定された場合であるのに対し、引用発明では、１つの番組の選択がされた場合である点。
　
　
４．判断
　（相違点Ａについて）
　動画像の分割区間及び前記各区間を細分化した分割区間という階層構造を形成し、各階層において各区間の画面の一覧表示を行い、前記一覧表示における選択操作を介して動画像の再生位置を選択する構成は、周知のものであるから（特開平１０−７９９２１号公報（以下、「周知例１」という。）（段落【００２０】乃至【００２４】，第３図等）、及び、特開平９−９３５８８号公報（以下、「周知例２」という。）（段落【００８０】，第１４乃至１６図等）等参照。）、複数のシーンの縮小画を同一画面内に表示する画面を備えた引用発明において、前記シーンの縮小画を選択して動画像の再生位置を選択するよう構成することにより、相違点Ａにおける本願発明のように為すことは、当業者が容易に想到しうることである。
　
　（相違点Ｂについて）
　一覧表示画面において選択された画像を縮小画のまま動画再生する構成は周知の技術であるから（特開平９−２００６８７号公報（段落【００７３】，第１図等）、及び、特開平８−７９７０８号公報（段落【０２３７】乃至【０２４１】等）等参照。）、引用発明における番組が選択された場合の動画再生を、縮小画のまま行うことに格別の困難性はない。
　
　（相違点Ｃについて）
　引用発明は、動画再生と複数のシーンの縮小画の表示とを一度の選択操作により行うものであり、「選択が決定された場合」という別途の操作を必要とするものではないが、複数種類の内容を表示する際に一画面上で行うか逐次各内容の表示された画面を切り替えて行うかは、必要に応じて適宜選択される設計的事項のものであり、前記「選択が決定された場合」とは、前記後者の画面切替の表示形態のものを選択した結果において生じ得るものである。そして、同時に表示できない表示内容に対しては、別々の操作を割り当てることが当然であるから、番組選択画面の選択による動画再生及び複数のシーンの縮小画を同一画面内に表示する構成を備えた引用発明に、周知の表示形態である、階層構造の画面を切り替える表示形態（上記周知例１（段落【００２０】乃至【００２２】，第３図等）、及び、周知例２（段落【００８０】，第１４乃至１６図等）等参照。）を採用し、選択及び画面切替の実行に係る操作を行うように為すことは、当業者が容易に想到し得るものである。
　なお、上記画面切替の実行に係る操作は、上記選択された内容に基づくものであり、本願発明の「選択が決定された場合」の操作に実質的に相当する。
　
　そして、上記各相違点についての判断を総合しても、本願発明の奏する効果は、引用発明に周知技術等を採用することで当業者が十分に予測可能なものであって格別のものとはいえない。
　
　したがって、本願発明は、引用例に記載された発明及び周知事項に基づいて当業者が容易に発明をすることができたものである。
　
　
５．むすび
　以上のとおり、本願の請求項５に係る発明は、特許法第２９条第２項の規定により特許を受けることができないものである。
　したがって、本願は、その余の請求項について論及するまでもなく、拒絶すべきものである。
　
　よって、結論のとおり審決する。